(57)【要約】【課題】皮膚に対する清拭力に優れるとともに清拭後の皮膚に保湿効果を与え、さらに皮膚に対して安全であり、清拭時の使用感にも優れたウェットティッシュを提供する。【解決手段】本発明のウェットティッシュは、エチレンオキサイドの付加モル数が５０〜１００であるポリオキシエチレンラノリンまたはその誘導体を含む水中油型エマルジョンが、不織布に含浸されていることを特徴とする。【選択図】  なし【特許請求の範囲】
【請求項１】
エチレンオキサイドの付加モル数が５０〜１００であるポリオキシエチレンラノリンまたはその誘導体を含む水中油型エマルジョンが、不織布に含浸されていることを特徴とするウェットティッシュ。
【請求項２】
前記ポリオキシエチレンラノリンまたはその誘導体の含有量が前記水中油型エマルジョンに対して０．０１〜５質量％であることを特徴とする請求項１に記載のウェットティッシュ。
【請求項３】
前記水中油型エマルジョンの粘度が、２５℃で１〜１００ｍＰａ・ｓの範囲内であることを特徴とする請求項１に記載のウェットティッシュ。
【請求項４】
前記不織布は、不織布全量に対して５０〜９９質量％の親水性繊維と不織布全量に対して１〜５０質量％の疎水性繊維とからなり、
前記親水性繊維はセルロース系繊維を含み、
前記疎水性繊維は、芯を構成するポリエステル樹脂またはポリプロピレン樹脂とその外周を被覆する鞘を構成するポリエチレン樹脂とからなる複合繊維を含むことを特徴とする請求項３に記載のウェットティッシュ。
【請求項５】
前記不織布の目付量が４０〜５５ｇ／ｍ２であることを特徴とする請求項４に記載のウェットティッシュ。
【請求項６】
前記水中油型エマルジョンの含浸量が、前記不織布に対して２５０〜３００質量％であることを特徴とする請求項５に記載のウェットティッシュ。
【請求項７】
前記不織布は、スパンレース不織布であることを特徴とする請求項６に記載のウェットティッシュ。
【発明の詳細な説明】
【０００１】
【発明の属する技術分野】
本発明はウェットティッシュに関する。さらに詳しくは、皮膚に対する清拭力に優れるとともに清拭後の皮膚に保湿効果を与え、さらに皮膚に対して安全であり、清拭時の使用感にも優れたウェットティッシュに関する。
【０００２】
【発明の技術的背景】
我々が手指などの汚れを落とす際には例えば石鹸などを用いて汚れを取り去り水で洗い流している。また、ドライティッシュや、繊維素材に清浄液を含浸させたウェットティッシュなども皮膚に付着した汚れを拭き取るために汎用されている。
【０００３】
肌の清浄は日常的に繰り返し行われるため、その清浄手段には清浄力は勿論のこと、その他に皮膚に対する安全性なども求められる。
特に、デリケートな乳幼児の皮膚を清浄する際にはその保護および衛生面に配慮する必要がある。生体の皮膚表面は、皮脂と汗により形成された皮脂膜によって被覆されており、この皮脂膜が、環境中の化学物質、アレルゲンなどによる刺激、あるいは乾燥から皮膚を生理的に保護するとともに皮膚角質層に柔軟性や弾力性を与えるなどのエモリエント効果も果たしている。
【０００４】
しかしながら、乳幼児の場合、衛生面から頻繁に皮膚の清浄処理を行うため、これによって皮脂膜の多くが併せて除去されてしまう。この結果、皮脂膜による保護作用やエモリエント作用が期待できなくなってしまい、皮膚表面が乾燥し、肌あれやひび、あかぎれなどが生じやすくなる。また、皮脂膜の保護機能が破壊され、環境中の化学物質、アレルゲンなどによって皮膚炎や肌あれを起こしやすくなる。
【０００５】
さらに、例えば排便時などに汚物をドライティッシュで拭き取る場合、充分に拭き取るためには比較的強い皮膚との摩擦を要し、また拭き取り後の皮膚が乾燥するため皮膚を過敏にする。
また、ドライティッシュによる拭き取りでは、特に油汚れなどを必ずしも充分に拭き取ることができない。そこで、清浄のための含浸液を含浸させた各種の清浄ティッシュが提案され使用されている。例えば特許文献１には、固形状の連続脂質相に水を分散させた固形状の油中水型エマルジョンを、加熱下で流動化して基材に含浸させた清浄ティッシュが開示されている。
【０００６】
一方、皮脂分泌の低下、あるいは清浄などによる外因的な表皮での脱脂作用、皮脂膜の破壊などから乳幼児の皮膚を保護するためにハンドクリーム、ベビークリームなどの保護剤を皮膚表面に塗布することが行われている。この保護剤は、保湿剤によって水分保持を図るとともに皮膚表面に油性皮膜を形成し、この皮膜による閉塞作用によって、皮膚表面での水分の過度の蒸散を抑制するものである。
【０００７】
しかしながら、上述したように皮膚の清浄は日常的に繰り返し行われるものであり、清拭時にこのようなケアを同時に行うことができれば望ましい。また、清拭物品を用いて清拭する場合、使用時の感触が良好であることが求められる。
【０００８】
【特許文献１】
特表平１０−５０８８４８号公報
【０００９】
【発明の目的】
本発明は、皮膚に対する清拭力に優れるとともに清拭後の皮膚に保湿効果を与え、さらに皮膚に対して安全であり、清拭時の使用感にも優れたウェットティッシュを提供することを目的としている。
【００１０】
【発明の概要】
本発明のウェットティッシュは、エチレンオキサイドの付加モル数が５０〜１００であるポリオキシエチレンラノリンまたはその誘導体を含む水中油型エマルジョンが、不織布に含浸されていることを特徴としている。
上記の本発明のウェットティッシュにおいて、ポリオキシエチレンラノリンまたはその誘導体の含有量が水中油型エマルジョンに対して０．０１〜５質量％であることが好ましい。
【００１１】
また、水中油型エマルジョンの粘度が、２５℃で１〜１００ｍＰａ・ｓの範囲内であることが好ましい
また、本発明では特定の不織布を用いることが特に好ましい。この不織布は、不織布全量に対して５０〜９９質量％の親水性繊維と不織布全量に対して１〜５０質量％の疎水性繊維とからなる。該親水性繊維はセルロース系繊維を含み、該疎水性繊維は、芯を構成するポリエステル樹脂またはポリプロピレン樹脂とその外周を被覆する鞘を構成するポリエチレン樹脂とからなる複合繊維を含んでいる。この不織布の目付量は、４０〜５５ｇ／ｍ２であることが好ましく、水中油型エマルジョンの含浸量が、前記不織布に対して２５０〜３００質量％であることが好ましい。また、この不織布は、スパンレース不織布であることが好ましい。
【００１２】
【発明の具体的説明】
以下、本発明を詳細に説明する。
ポリオキシエチレンラノリン
ラノリンは羊毛に付着している皮脂腺からの分泌物で、一般にウールグリースと呼ばれている蝋状物であり、ラノリン脂肪酸とラノリンアルコールとのエステル混合物を主成分とする。ラノリンは人の皮脂と非常に類似した特性と機能を有する点で他の動植物油脂に比して特徴的であり、皮膚に対する優れた柔軟および湿潤効果を有している。本発明ではこのウールグリースに対して脱色、脱酸、脱臭等を行い精製した精製ラノリンもしくはこれらの誘導体に酸化エチレンを付加重合させたポリオキシエチレンラノリンを保湿成分として配合している。
【００１３】
ラノリン誘導体としては、例えば精製ラノリンを尿素法、溶剤分別法により処理して得られる液状ラノリンおよび固形ラノリン、あるいは精製ラノリンをケン化分解して得られたラノリンアルコールを用いることができる。あるいはラノリン、液状ラノリンおよび固形ラノリンに部分的な還元処理を施して得られるエステル結合を保持した部分水添ラノリン、部分水添液状ラノリン、部分水添固形ラノリンおよび同様な還元処理を施したラノリンアルコールなどを用いることができる。
【００１４】
これらの精製ラノリンまたはこれらの誘導体に付加するエチレンオキサイドの付加モル数は、５０〜１００、好ましくは６０〜８５である。付加モル数が５０未満の場合、特にデリケートな乳幼児の皮膚などに対して刺激を生じる可能性があり安全性の観点から好ましくない。付加モル数が１００を超えると、ラノリン類に特有の皮膚柔軟および柔軟、湿潤作用が低下することがあり好ましくない。
【００１５】
上記のポリオキシエチレンラノリンは、ラノリン類に特有である皮膚に対する優れた柔軟、湿潤効果を有するとともに、皮膚に対して刺激が少なく安全である。さらに、ラノリン、ラノリンアルコールなどに比して水溶性に優れているため、これを配合したエマルジョンを容易に製造することができる。すなわち、エマルジョンの製造時には水中に添加するだけでよく、エマルジョンに配合する際に特に界面活性剤の選択を考慮する必要はない。例えば、あらかじめ精製水へ上記のポリオキシエチレンラノリンとその他の水溶性の任意成分を添加してパドルで攪拌し、得られた水溶液へ油分と界面活性剤とを含む油性混合物を添加して攪拌することにより水中油型エマルジョンを容易に製造することができる。
【００１６】
上記のポリオキシエチレンラノリンまたはその誘導体の含有量は、好ましくは水中油型エマルジョンに対して０．０１〜５質量％である。含有量が０．０１質量％未満では充分な保湿効果が得られないことがあり、通常は５質量％配合すれば充分な保湿効果を付与することができる。
油分
本発明のウェットティッシュの基材不織布に含浸される水中油型エマルジョンの油分としては、例えば流動パラフィン、スクワラン、ｎ−オクタン、ｎ−ヘプタン、シクロヘキサン等の炭化水素油；ジオクチルエーテル、エチレングリコールモノラウリルエーテル、エチレングリコールジオクチルエーテル、グリセロールモノオレイルエーテル等のエーテル油；ミリスチン酸オクチルドデシル、パルミチン酸イソプロピル、ステアリン酸ブチル、ミリスチン酸ミリスチル、ミリスチン酸イソプロピル、アジピン酸ジ−２−エチルヘキシル、セバチン酸ジイソプロピル、ジカプリン酸ネオペンチルグリコール、トリカプロイン等のエステル油；イソステアリルアルコール、オクチルドデカノール等の飽和高級アルコール；オレイルアルコール等の不飽和高級アルコール；エイコセン酸、イソミリスチン酸、カプリン酸等の高級脂肪酸；ラウロイルラウリルアミン、ラウリン酸ブチルアミド等の高級脂肪酸アミド；オリーブ油、大豆油等の油脂；ジメチルポリシロキサン、環状ジメチルポリシロキサン、メチルフェニルポリシロキサン、アミノ変性シリコーン、エポキシ変性シリコーン、カルボキシ変性シリコーン、アルコール変性シリコーン、アルキル変性シリコーン、ポリエーテル変性シリコーン、フッ素変性シリコーン等のシリコーン油；パーフルオロアルキルエチルリン酸、パーフルオロアルキルポリオキシエチレンリン酸、パーフルオロポリエーテル、ポリテトラフルオロエチレン等のフッ素系油が挙げられる。中でも炭化水素油を用いることが好ましい。
【００１７】
これらの油分は２種以上を組み合わせて用いてもよい。この他、固体油脂を組み合わせて配合することもできる。油分の配合量は、ウェットティッシュとしての使用感の観点から、好ましくは水中油型エマルジョン全量に対して１〜２０質量％である。
界面活性剤
本発明のウェットティッシュの基材不織布に含浸される水中油型エマルジョンには、非イオン性界面活性剤、イオン性界面活性剤のいずれも用いることができる。非イオン性界面活性剤としては、例えばポリオキシエチレン（ＰＯＥ）ソルビタンオレエート等のＰＯＥソルビタン脂肪酸エステル類；ＰＯＥソルビットモノオレエート等のＰＯＥソルビット脂肪酸エステル類；ＰＯＥグリセリンモノステアレート、ＰＯＥグリセリンモノイソステアレート等のＰＯＥグリセリン脂肪酸エステル類；ＰＯＥモノオレエート、ＰＯＥジステアレート、ＰＯＥジオレエート等のＰＯＥ脂肪酸エステル類；ＰＯＥオレイルエーテル、ＰＯＥステアリルエーテル、ＰＯＥベヘニルエーテル、ＰＯＥ２−オクチルドデシルエーテル、ＰＯＥ２−ヘキシルデシルエーテル、ＰＯＥ２−ヘプチルウンデシルエーテル、ＰＯＥ２−デシルテトラデシルエーテル、ＰＯＥ２−デシルペンタデシルエーテル、ＰＯＥコレスタノールエーテル等のＰＯＥアルキルエーテル類；プルロニック型類；ＰＯＥ・ＰＯＰセチルエーテル、ＰＯＥ・ＰＯＰ２−デシルテトラデシルエーテル等のＰＯＥ・ＰＯＰアルキルエーテル類；ＰＯＥヒマシ油等のＰＯＥヒマシ油・硬化ヒマシ油誘導体；ＰＯＥソルビットミツロウ等のＰＯＥミツロウ誘導体；ポリグリセリンモノアルキルエステル・モノアルキルエーテル類；ショ糖モノオレイン酸エステル等のショ糖脂肪酸エステル類；シリコーン系界面活性剤が挙げられる。
【００１８】
イオン性界面活性剤としては、例えば脂肪酸石鹸、エ−テルカルボン酸およびその塩、アルカンスルホン酸塩、高級脂肪酸エステルのスルホン酸塩、ジアルキルスルホコハク酸塩、高級脂肪酸アミドのスルホン酸塩、アルキルアリルスルホン酸塩、高級アルコ−ル硫酸エステル塩、二級高級アルコ−ル硫酸エステル塩、アルキルおよびアルキルアリルエ−テル硫酸エステル塩、グリセリン脂肪酸エステルの硫酸エステル塩、高級脂肪酸アルキロ−ルアミドの硫酸エステル塩、硫酸化油、リン酸エステル塩、アミノ酸、コラ−ゲン加水分解物と高級脂肪酸縮合物、コラ−ゲン加水分解物誘導体等のアニオン性界面活性剤；アルキルアミン塩、ポリアミンまたはアルカノ−ルアミン脂肪酸誘導体、アルキルトリメチルアンモニウム塩、ジアルキルジメチルアンモニウム塩、アルキルジメチルベンジルアンモニウム塩、アルキルピリジニウム塩、アルキルイソキノリニウム塩、ジアルキルモルホリニウム塩等のカチオン界面活性剤が挙げられる。
【００１９】
これらの界面活性剤は２種以上を組み合わせて用いてもよい。界面活性剤の配合量は、好ましくは水中油型エマルジョン全量に対して０．１〜５質量％である。
任意成分
本発明のウェットティッシュの基材不織布に含浸される水中油型エマルジョンには、上記の成分の他に、本発明の効果を損なわない範囲で、他の任意成分を配合することができる。具体的には、例えば防腐剤、香料、キレート剤、ｐＨ調整剤、薬効成分、植物成分等が挙げられる。
【００２０】
本発明で不織布に含浸させる水中油型エマルジョンは、水を基本とした低粘度の乳液である。乳液の製法は特に限定されないが、特に、ポリオキシエチレンラノリンを含む水を基本とした薬液をあらかじめ調製してから、別途調製した油分および界面活性剤を含む油性原液と混合して調製することが好適である。このようにして得た乳液を不織布に含浸させてウェットティッシュを製造することで、乳液状の薬液が含浸されたウェットティッシュを安定して製造することができる。
不織布
本発明のウェットティッシュに用いる不織布の基材繊維としては、例えば木質パルプ、ウール、絹、ジュート、大麻、綿、麻、サイザル麻またはラミーなどの天然繊維、ビスコースレーヨン、ポリノジックレーヨン、キュプラまたは鹸化アセテートなどの再生セルロース繊維、ポリアミド繊維、ポリエステル繊維、ポリアクリル繊維、ポリウレタン繊維またはポリオレフィン繊維などの合成繊維が挙げられる。これらの繊維は２種以上を組み合わせて用いてもよい。
【００２１】
また、不織布の使用時には充分な強度を有し、かつ使用後の水解性を良好なものとするため、再生セルロースと、カチオン化セルロースまたはカチオン化デンプンなどのカチオン性樹脂と、ポリアクリル酸塩、カルボキシメチルセルロースまたはカルボキシメチルデンプンなどのアニオン性樹脂とを含有する樹脂組成物から形成された水解性繊維を使用することができる。
【００２２】
上記の繊維を交絡もしくは接着して不織布に加工する方法としては、例えば湿式法、湿式スパンレース法、乾式スパンレース法、ニードルパンチ法、ケミカルボンド法、サーマルボンド法が挙げられる。しかしながら、化学的なバインダーを用いることは衛生上の観点からは好ましくない。例えば、本発明では親水性繊維であるレーヨンやコットンのみを使用したスパンレース不織布を用いることができる。
【００２３】
特に本発明では、特定の親水性繊維および疎水性繊維を含む不織布が好適に用いられる。この不織布は、疎水性繊維として、芯を構成するポリエステル樹脂またはポリプロピレン樹脂と、その外周の鞘を構成するポリエチレンとを熱融着して形成された熱融着繊維を使用している。芯部にポリエステル系樹脂を用いる場合、ポリエチレンテレフタレート（ＰＥＴ）が特に好ましい。この疎水性繊維の断面は、芯−鞘の断面形状が同心円状であってもよく、またはこれとは異なる形状であってもよい。
【００２４】
疎水性繊維はそのすべてが上記の繊維から構成されていることが最も好ましいが、本発明の効果を損なわない範囲で他の種類の疎水性繊維が少量含まれていてもよい。
親水性繊維としては、レーヨン、セルロース、コットン等のセルロース系繊維が用いられる。特に、良好な肌感触および保水性の点からレーヨンを用いることが好ましい。
【００２５】
上記の不織布は、親水性繊維を５０〜９９質量％、好ましくは６０〜８０質量％含み、疎水性繊維を１〜５０質量％、好ましくは２０〜４０質量％含む。
親水性繊維の割合が上記範囲内であることで、エマルジョンの含浸性および保持性が良好であり、また、清拭時には含浸したエマルジョンを適度に放出させることができる。
【００２６】
また、疎水性繊維の割合が上記範囲内であることで、エマルジョンを含浸したウエットティッシュが、柔軟性のある適度な剛性を有し、また、清拭時の拭き取り性が良好である。
この不織布の目付量は３５〜６０ｇ／ｍ２、特に４０〜５５ｇ／ｍ２であることが、保形性および柔軟性の点から好ましく、その厚みは０．４５〜０．６５ｍｍであることが、使用性および携帯性の観点から好ましい。
【００２７】
これらの繊維から不織布を形成する方法としては、特に限定されないが、得られる不織布が低密度であり、エマルジョンを良好に保持し、エマルジョンが肌へ均一に展着し、肌感触が良好であり、また製造が容易であることから、スパンレース法が最も好ましい。このスパンレース不織布は、常法に従い、例えばステープルファイバーをカード機にかけてウエブを形成し、該ウエブを高圧ジェット水流によって水流交絡させ、次いで乾燥して巻き取ることにより製造することができる。
【００２８】
また、このスパンレース法において、水流絡合工程におけるネット（網）のメッシュサイズまたはパターンを変更することにより、不織布の表面を凹凸の無い無地状や、メッシュ形状に合わせて細かな波線状や十字状の凹凸模様を選択することができ、０．５〜１．５ｍｍ程度の間隔を持った波線状の凹凸を設けることが、拭き取り機能を考慮すると好ましい。
【００２９】
このように、上記の不織布は、剛性を有するとともに柔軟性があり、触った感触もよいため使用感に優れ、含浸エマルジョンの油分と水分の双方に対して保持力、放出力があり、清拭時にはエマルジョンを放出するとともに汚れを吸収して保持し、かつ上述した保湿成分のポリオキシエチレンラノリンを肌上に均一に展着させることができる。
含浸
水中油型エマルジョンは、グラビアコータやダイコータ等の塗布装置を用いて不織布に含浸させることができる。また、スプレー塗布後、充分な時間放置することでも含浸させることができる。
【００３０】
また、含浸操作を容易とする観点から、水中油型エマルジョンの粘度は、２５℃で１〜１００ｍＰａ・ｓの範囲内にあることが好ましく、さらに好ましくは１０〜４０ｍＰａ・ｓの範囲内である。
上記した特定の親水性繊維および疎水性繊維を含む不織布を用いる場合、エマルジョンの含浸量は、不織布の重量に対して好ましくは２５０〜３００質量％である。含浸量が２５０質量％未満では、汚れの洗浄性が低下することがあり、３００質量％を超えると、エマルジョンを充分に保持することが容易でなく、またエマルジョンが手にべたつき易くなることがある。
【００３１】
以上説明した本発明のウエットティッシュは、例えば水分非透過性の包装袋（例えばポリオレフィンフィルム製包装袋、ポリエステル製包装袋、ポリ塩化ビニル製包装袋、金属蒸着フィルム製包装袋など）に封入して供給することができる。また、ウエットティッシュを連続して取り出すことができるスリットなどが形成されている据え置き用容器に包装袋から詰め替えるか、または包装袋ごと収納して使用することができる。
【００３２】
本発明のウエットティッシュは、あらゆる年齢層の人の肌清浄に使用することができる。特に、乳幼児の肌、例えば肛門周辺の清浄などに好適に使用することができる。
【００３３】
【発明の効果】
本発明によれば、皮膚に対する清拭力に優れるとともに清拭後の皮膚に保湿効果を与え、さらに皮膚に対して安全であり、清拭時の使用感にも優れたウェットティッシュを提供することができる。
【００３４】
【実施例】
以下、本発明を実施例により説明するが、本発明はこれらの実施例に限定されるものではない。
【００３５】
【実施例１】
流動パラフィン８３質量部およびオクチルドデカノール２質量部（油分）と、トリオレイン酸ポリオキシエチレンソルビタン（２０Ｅ．Ｏ．）１１質量部およびポリオキシエチレンオレイルエーテル（５Ｅ．Ｏ．）２質量部（界面活性剤）とを加温下で攪拌混合し、さらに該混合物へ精製水２部（溶剤）を加えて攪拌混合し、得られた混合物を冷却して計１００質量部の油性原液を調製した。
【００３６】
次いで、ポリオキシエチレンラノリン（Ｅ．Ｏ．７５）０．１質量部（保湿剤）を精製水９１．９質量部へ加温下で攪拌、溶解して得た水溶液へ、上記の原液を８質量部加えて攪拌混合した後、冷却して計１００質量部の水中油型エマルジョンを得た。
レーヨン繊維６５質量部とポリエチレンテレフタレート／ポリエチレン芯鞘型複合繊維３５質量部とから製造したスパンレース不織布（目付量４５ｇ／ｍ２）へ、上記の水中油型エマルジョンを、グラビアコータを用いて塗布、含浸させてウェットティッシュを得た。含浸量は、不織布全量に対して２６０質量％であった。
【００３７】
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。
【００３８】
【実施例２】
レーヨン繊維７０質量部とポリプロピレン／ポリエチレン芯鞘型複合繊維３０質量部とから製造したスパンレース不織布（目付量５０ｇ／ｍ２）へ、実施例１で調製した水中油型エマルジョンを、グラビアコータを用いて塗布、含浸させてウェットティッシュを得た。含浸量は、不織布全量に対して２９０質量％であった。
【００３９】
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。
【００４０】
【実施例３】
保湿剤としてポリオキシエチレンラノリン（Ｅ．Ｏ．５５）を用いた以外は実施例１と同様の操作を行いウェットティッシュを得た。
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。
【００４１】
【実施例４】
保湿剤としてポリオキシエチレンラノリン（Ｅ．Ｏ．８５）を用いた以外は実施例１と同様の操作を行いウェットティッシュを得た。
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。
【００４２】
【実施例５】
保湿剤としてポリオキシエチレンラノリンアルコール（Ｅ．Ｏ．７５）を用いた以外は実施例１と同様の操作を行いウェットティッシュを得た。
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。
【００４３】
【比較例１】
保湿剤としてポリオキシエチレンラノリン（Ｅ．Ｏ．４５）を用いた以外は実施例１と同様の操作を行いウェットティッシュを得た。このウェットティッシュは、刺激に対して敏感な肌を有する人が使用した場合に軽微な紅斑を示すことがあった。
【００４４】
【比較例２】
保湿剤としてポリオキシエチレンラノリン（Ｅ．Ｏ．１５０）を用いた以外は実施例１と同様の操作を行いウェットティッシュを得た。
このウェットティッシュは、実施例１のウェットティッシュと比較して、拭き取り後の肌に与える保湿性が劣っていた。
【００４５】
【試験例１〜４】
レーヨン繊維とポリエチレンテレフタレート／ポリエチレン芯鞘型複合繊維の使用量が異なる表１に示した試験例１〜４のスパンレース不織布（それぞれ目付量４５ｇ／ｍ２）に、実施例１で調製した水中油型エマルジョンを不織布全量に対して２６０質量％含浸させてウェットティッシュを得た。
【００４６】
試験例１〜４の不織布を用いたこれらの各ウェットティッシュについて、（ｉ）エマルジョンの含浸性と保持性、（ｉｉ）ウェットティッシュを加圧した際のエマルジョンの放出性、（ｉｉｉ）適度な剛性、および（ｉｖ）拭き取り性を、下記基準で評価した。
評価基準
ＡＡ    特に良い
Ａ      良い
Ｂ      普通
結果を表１に示した。
【００４７】
【表１】
2004261440.tif 000002
【００４８】
表１からわかるように、セルロース系の親水繊維であるレーヨン繊維の割合が５０〜９９質量％であり、疎水性複合繊維の割合が１〜５０質量％である場合に特に各特性に優れたウエットティッシュが得られた。
以下に本発明のウェットティッシュの好適な実施例を示す。
【００４９】
【実施例６】
2004261440.tif 000003
製法
（２）〜（６）を加温下でパドルを用いて攪拌、混合し、溶剤として少量の（１１）を加えてさらに攪拌、混合する。次いで得られた混合物を降温し、（１０）を加えて攪拌、混合した後冷却して所定倍量の油性原液を得る。一方、加温下で（１１）に（１）、（７）、（８）および（９）を溶解して水溶液を調製し、該水溶液に前記の原液を所定量加えてパドルで攪拌、混合した後冷却して水中油型エマルジョンを得る。
【００５０】
得られた水中油型エマルジョンを、レーヨン繊維６５質量部とポリエチレンテレフタレート／ポリエチレン芯鞘型複合繊維３５質量部とから製造したスパンレース不織布（目付量４５ｇ／ｍ２）へ、グラビアコータを用いて塗布、含浸する（含浸量：不織布全量に対して２６０質量％）。
このように、乳液状の薬液を、水を基本とした薬液をあらかじめ調製してから油性原液と混合して調製し、これを不織布に含浸させてウェットティッシュを製造することで、乳液状の薬液が含浸されたウェットティッシュを安定して製造することができる。
【００５１】
このウェットティッシュは、水性、油性いずれの汚れもよく拭き取ることができた。また、拭き取り後の肌を乾燥から保護し、持続した保湿効果を与えた。さらに、このウェットティッシュは適度な剛性と柔軟性を有し、塗布時の肌触りも良好でべたつき感もなかった。また、品質においても安定しており、菌の増加等の問題は見られなかった。